(57)【要約】【課題】  コンテンツ制作者が希望する映像コンテンツを希望通りの視聴料金で配信させる。【解決手段】  本発明に係る映像コンテンツ配信システムは、コンテンツ制作者が登録した基本データをコンテンツ制作者データファイル１７に保管し、前記コンテンツ制作者に対して認証データを発行するコンテンツ制作者データ管理手段６と、視聴者が登録した基本データを視聴者データファイル２１に保管し、前記視聴者に対して認証データを発行する視聴者データ管理手段８と、前記認証データを発行されたコンテンツ制作者がアップロードした映像及び該映像に関連付けたデータをコンテンツファイル２４に保管し、前記認証データを発行された視聴者に対してコンテンツファイル２４に保管された映像及び該映像に関連付けたデータを配信するコンテンツ管理手段１０とを備えていることを特徴とする。【選択図】  図１
2006229633.tif 000002
【特許請求の範囲】
【請求項１】
映像コンテンツを配信するコンテンツ配信者側サーバと前記映像コンテンツを制作するコンテンツ制作者側端末と前記映像コンテンツを視聴する視聴者側端末とが情報通信ネットワークを介して相互に接続されて構成された映像コンテンツ配信システムであって、
コンテンツ制作者が登録した基本データをコンテンツ制作者データファイルに保管し、前記コンテンツ制作者に対して認証データを発行するコンテンツ制作者データ管理手段と、
視聴者が登録した基本データを視聴者データファイルに保管し、前記視聴者に対して認証データを発行する視聴者データ管理手段と、
前記コンテンツ制作者データ管理手段により認証データを発行されたコンテンツ制作者がアップロードした映像及び該映像に関連付けたデータをコンテンツファイルに保管し、前記視聴者データ管理手段により認証データを発行された視聴者に対して前記コンテンツファイルに保管された映像及び該映像に関連付けたデータを配信するコンテンツ管理手段と、
を備えていることを特徴とする映像コンテンツ配信システム。
【請求項２】
前記コンテンツ管理手段は、コンテンツ制作者が前記映像及び該映像に関連付けたデータのアップロード時に設定した課金額を前記映像に関連付けたデータとして前記コンテンツファイルに格納し、視聴者の前記映像の選択に応じて、前記課金額を前記映像に関連付けたデータとして前記コンテンツファイルから抽出し、前記視聴者に対して配信するように構成されたコンテンツ処理部を備えている請求項１に記載の映像コンテンツ配信システム。
【請求項３】
コンテンツ制作者及び視聴者に対する課金処理を管理する課金管理手段をさらに備えており、該課金管理手段は、前記コンテンツ制作者が設定した課金額に基づき課金処理を行う課金処理部を備えている請求項２に記載の映像コンテンツ配信システム。
【請求項４】
映像コンテンツを配信するコンテンツ配信者側サーバと前記映像コンテンツを制作するコンテンツ制作者側端末と前記映像コンテンツを視聴する視聴者側端末とが情報通信ネットワークを介して相互に接続された環境下における映像コンテンツ配信方法であって、
コンテンツ制作者が登録した基本データをコンテンツ制作者データファイルに保管し、前記コンテンツ制作者に対して認証データを発行するステップと、
視聴者が登録した基本データを視聴者データファイルに保管し、前記視聴者に対して認証データを発行するステップと、
前記認証データを発行されたコンテンツ制作者がアップロードした映像及び該映像に関連付けたデータをコンテンツファイルに保管し、前記認証データを発行された視聴者に対して前記コンテンツファイルに保管された映像及び該映像に関連付けたデータを配信するステップと、
を備えていることを特徴とする映像コンテンツ配信方法。
【請求項５】
コンテンツ制作者が前記映像及び該映像に関連付けたデータのアップロード時に設定した課金額を前記映像に関連付けたデータとして前記コンテンツファイルに格納し、視聴者の前記映像の選択に応じて、前記課金額を前記映像に関連付けたデータとして前記コンテンツファイルから抽出し、前記視聴者に対して配信するステップを備えている請求項４に記載の映像コンテンツ配信方法。
【請求項６】
前記コンテンツ制作者が設定した課金額に基づき、前記コンテンツ制作者及び視聴者に対して課金処理を行うステップをさらに備えている請求項５に記載の映像コンテンツ配信方法。
【請求項７】
請求項４〜６のいずれか１の請求項に記載の各ステップをコンピュータに実行させるための映像コンテンツ配信プログラム。
【請求項８】
請求項７に記載のプログラムを記憶したコンピュータにより読み取り可能な記憶媒体。
【発明の詳細な説明】
【技術分野】
【０００１】
本発明は、映像コンテンツを配信するコンテンツ配信者側サーバと前記映像コンテンツを制作するコンテンツ制作者側端末と前記映像コンテンツを視聴する視聴者側端末とが情報通信ネットワークを介して相互に接続されて構成された映像コンテンツ配信システム及びその方法、並びに映像コンテンツ配信プログラム及びそのプログラムを記憶した記憶媒体に関する。
【背景技術】
【０００２】
近年、ブロードバンドを利用したインターネットの普及に伴い、インターネット上において、視聴者に動画等の映像コンテンツを有料で配信することが広く行われるようになっている。
【０００３】
従来のこの種の映像コンテンツ配信システム及びその方法は、映像コンテンツの制作者が配給会社と配給契約を交わし、さらに、この配給会社から映像コンテンツを購入したレンタル事業者がインターネット等の情報通信ネットワークを介してこの映像コンテンツを視聴者に有料で配信するようになっている。（例えば、特許文献１参照）。
【特許文献１】特開２００５−３３７５１号公報
【発明の開示】
【発明が解決しようとする課題】
【０００４】
しかしながら、上記した従来の映像コンテンツ配信システム及びその方法では、レンタル事業者が、購入する映像コンテンツを決定し、その視聴料金を設定するようになっているため、制作者の希望する映像コンテンツが配信されなかったり、視聴料金が制作者の希望額と合わなかったりするといった問題があった。
【０００５】
また、制作者と視聴者との間に、配給会社やレンタル事業者などが介在するため、視聴料金の低減化が図り難いといった問題もあった。
【０００６】
さらに、視聴者は、インターネット上の膨大なウェブサイトの中から自分の嗜好にあった映像コンテンツを検索しなければならないため非常に手間が掛かり、また、視聴を希望する映像コンテンツの視聴料金がレンタルショップのビデオレンタル料金と同等の金額となる場合には、視聴者にとってインターネットを介して映像コンテンツを視聴するメリットが薄くなるといった問題もあった。
【０００７】
本発明は、上記した課題を解決すべくなされたものであり、映像コンテンツ配信側が、配信会社などの買い付けに頼ることなく、ジャンル分けされた映像コンテンツのポータルサイトを運営することにより、映像コンテンツ制作者に対して映像コテンツの配信場所を確保し、その制作者が視聴料金を自由に設定することができ、また、視聴者に対しては各自の嗜好に合った映像コンテンツを自由且つ容易に選択することができる映像コンテンツ配信システム及びその方法などを提供しようとするものである。
【課題を解決するための手段】
【０００８】
本発明は、映像コンテンツを配信するコンテンツ配信者側サーバと前記映像コンテンツを制作するコンテンツ制作者側端末と前記映像コンテンツを視聴する視聴者側端末とが情報通信ネットワークを介して相互に接続されて構成された映像コンテンツ配信システムであって、コンテンツ制作者が登録した基本データをコンテンツ制作者データファイルに保管し、前記コンテンツ制作者に対して認証データを発行するコンテンツ制作者データ管理手段と、視聴者が登録した基本データを視聴者データファイルに保管し、前記視聴者に対して認証データを発行する視聴者データ管理手段と、前記コンテンツ制作者データ管理手段により認証データを発行されたコンテンツ制作者がアップロードした映像及び該映像に関連付けたデータをコンテンツファイルに保管し、前記視聴者データ管理手段により認証データを発行された視聴者に対して前記コンテンツファイルに保管された映像及び該映像に関連付けたデータを配信するコンテンツ管理手段とを備えていることを特徴とする。
【０００９】
そして、好ましくは、前記コンテンツ管理手段は、コンテンツ制作者が前記映像及び該映像に関連付けたデータのアップロード時に設定した課金額を前記映像に関連付けたデータとして前記コンテンツファイルに格納し、視聴者の前記映像の選択に応じて、前記課金額を前記映像に関連付けたデータとして前記コンテンツファイルから抽出し、前記視聴者に対して配信するように構成されたコンテンツ処理部を備えているのがよい。
【００１０】
また、コンテンツ制作者及び視聴者に対する課金処理を管理する課金管理手段をさらに備えており、該課金管理手段は、前記コンテンツ制作者が設定した課金額に基づき課金処理を行う課金処理部を備えているのがよい。
【００１１】
また、本発明は、映像コンテンツを配信するコンテンツ配信者側サーバと前記映像コンテンツを制作するコンテンツ制作者側端末と前記映像コンテンツを視聴する視聴者側端末とが情報通信ネットワークを介して相互に接続された環境下における映像コンテンツ配信方法であって、コンテンツ制作者が登録した基本データをコンテンツ制作者データファイルに保管し、前記コンテンツ制作者に対して認証データを発行するステップと、視聴者が登録した基本データを視聴者データファイルに保管し、前記視聴者に対して認証データを発行するステップと、前記認証データを発行されたコンテンツ制作者がアップロードした映像及び該映像に関連付けたデータをコンテンツファイルに保管し、前記認証データを発行された視聴者に対して前記コンテンツファイルに保管された映像及び該映像に関連付けたデータを配信するステップとを備えていることを特徴とする。
【００１２】
そして、好ましくは、コンテンツ制作者が前記映像及び該映像に関連付けたデータのアップロード時に設定した課金額を前記映像に関連付けたデータとして前記コンテンツファイルに格納し、視聴者の前記映像の選択に応じて、前記課金額を前記映像に関連付けたデータとして前記コンテンツファイルから抽出し、前記視聴者に対して配信するステップを備えているのがよい。
【００１３】
また、前記コンテンツ制作者が設定した課金額に基づき、前記コンテンツ制作者及び視聴者に対して課金処理を行うステップをさらに備えているのがよい。
【００１４】
さらに、本発明は、上記記載の各ステップをコンピュータに実行させるための映像コンテンツ配信プログラムであり、また、そのプログラムを記憶したコンピュータ読み取り可能な記憶媒体である。
【発明の効果】
【００１５】
本発明によれば、コンテンツ制作者が希望する映像コンテンツを、コンテンツ制作者の希望通りの視聴料金で配信することができ、また、コンテンツ製作者と視聴者との間には本システムを使用するポータルサイトが介在するだけであるため、視聴料金の低減化を図ることが可能となる。さらに、視聴者は、このポータルサイトを使用することにより、好みの映像コンテンツを容易且つ迅速に検索及び選択することができる等、種々の優れた効果を得ることができる。
【発明を実施するための最良の形態】
【００１６】
以下、図面を参照しつつ、本発明の実施の形態について説明する。
【００１７】
先ず、図１を参照しつつ、本発明の実施の形態に係る映像コンテンツ配信システムの構成について説明する。ここで、図１は本発明の実施の形態に係る映像コンテンツ配信システムの全体構成を示す概略図である。
【００１８】
本実施の形態に係る映像コンテンツ配信システムは、映像コンテンツを配信するコンテンツ配信者側サーバ群１と、前記映像コンテンツを制作するコンテンツ制作者側端末２と、前記映像コンテンツを視聴する視聴者側端末３とがインターネット４を介して相互に接続されて構成されており、コンテンツ配信者側サーバ群１は、ルータ５を介してインターネット４に接続されている。そして、コンテンツ配信側サーバ群１は、コンテンツ制作者データベースサーバ６及びそのミラーリング用サーバサーバ７と、視聴者データベースサーバ８及びそのミラーリング用サーバサーバ９と、コンテンツサーバ１０及びそのミラーリング用サーバサーバ１１と、課金管理サーバ１２及びそのミラーリング用サーバサーバ１３とがイントラネット１４を介して相互に接続されて構成されており、ＣＤ−ＲＯＭ等の記憶媒体を介して映像コンテンツ配信プログラムをインストールすることにより映像コンテンツ配信装置として機能するようになっている。
【００１９】
コンテンツ制作者データベースサーバ６は、コンテンツ制作者が登録した基本データに対して各種処理を行うコンテンツ制作者データ処理部１５と、前記コンテンツ制作者に対して認証データを発行する認証データ処理部１６と、前記コンテンツ制作者が登録した基本データ及び前記コンテンツ制作者に発行した認証データを保管するコンテンツ制作者データファイル１７とを備えている。
【００２０】
視聴者データベースサーバ８は、視聴者が登録した基本データに対して各種処理を行う視聴者データ処理部１８と、前記視聴者に対して認証データを発行する認証データ処理部１９と、前記視聴者に対する認証処理を行う認証処理部２０と、前記視聴者が登録した基本データ及び前記視聴者に発行した認証データを保管する視聴者データファイル２１とを備えている。
【００２１】
コンテンツサーバ１０は、前記認証データを発行されたコンテンツ制作者がアップロードした映像及び該映像に関連付けたデータに対して各種処理を行うコンテンツ処理部２２と、前記コンテンツ制作者に対する認証処理を行う認証処理部２３と、前記コンテンツ制作者が登録した基本データ及び前記視聴者に発行した認証データを保管するコンテンツファイル２４とを備えている。
【００２２】
また、課金管理サーバ１２は、コンテンツ制作者及び視聴者に対する課金処理を行う課金処理部２５と、課金データを格納する課金データファイル２６とを備えており、課金データファイル２６には、コンテンツ制作者の管理ＩＤデータ、各映像コンテンツのページビューデータ、月毎の支払い管理データ、視聴会員からのペーパービューに対する売り上げ確認データなどが格納されるようになっている。
【００２３】
次に、図２〜図１１を参照しつつ、本発明の実施の形態に係る映像コンテンツ配信システムの作用について説明する。
【００２４】
先ず、図２、図３及び図１０を参照しつつ、コンテンツ制作者が基本データを登録する時の作用について説明する。ここで、図２はコンテンツ制作者が基本データを登録する時の処理手順を示すフローチャート、図３はコンテンツ制作者が登録する時の表示画面を示す図、図１０は本システムを使用するポータルサイトの表示画面を示す図である。
【００２５】
新規コンテンツ制作者がコンテンツ制作者側端末２から本システムを使用するポータルサイト（図１０参照）にアクセスし、新規登録を選択すると（Ｓ１０１）、この新規登録選択信号はコンテンツ制作者データベースサーバ６において受信され（Ｓ１０２）、コンテンツ制作者データ処理部１５はコンテンツ制作者側端末２に登録フォームを送信する（Ｓ１０３）。コンテンツ制作者側端末２では、図３に示すように、登録フォームが受信、表示され（Ｓ１０４）、この登録フォームに従って、前記コンテンツ制作者が、登録者名、住所、電話番号、e-mailアドレス、課金時の振込先口座、入会金及び月額使用料の引き落としクレジットカードナンバー等の基本データを入力すると（Ｓ１０５）、これらの基本データはコンテンツ制作者データベースサーバ６において受信される（Ｓ１０６）。
【００２６】
次に、ステップ１０７において、コンテンツ制作者データ処理部１５が、前記登録フォームへの入力内容を形式面からチェックし、不備がある場合には、修正部分を明示してコンテンツ制作者側端末２に通知し（Ｓ１０８）、この通知はコンテンツ制作者側端末２により受信される（Ｓ１０９）。そして、この通知に従って、前記コンテンツ制作者は、修正部分を修正し、再度、登録フォームをコンテンツ制作者データベースサーバ６に送信し、この一連の処理は、形式面での不備が解消されるまで繰り返し行われる。
【００２７】
一方、前記ステップ１０７において、コンテンツ制作者データ処理部１５が、前記登録フォームの入力内容に形式上、不備がないと判断した場合には、次のステップ１１０において、登録内容の二重登録やクレジットカードに不備がないかどうかについて登録内容のチェックが行われ、不備がなかった場合には、その登録内容をコンテンツ制作者データファイル１７に格納すると共に（Ｓ１１１）、コンテンツ制作者側端末２に入会完了メッセージを送信し、表示させる（Ｓ１１２）。
【００２８】
その後、コンテンツ制作者データベースサーバ６では、認証データ処理部１６がＩＤ及びパスワードを前記コンテンツ制作者に通知するためのメールを発行し（Ｓ１１３）、このメールは、図３の右下に示すように、コンテンツ制作者側端末２において受信される（Ｓ１１４）。なお、前記ステップ１１０において、コンテンツ制作者データ処理部１５が登録内容に不備を発見した場合には、登録作業は中止される（Ｓ１１５）。
【００２９】
次に、図４〜図６を参照しつつ、前記コンテンツ制作者が映像及び該映像に関連付けたデータを登録する時の作用について説明する。ここで、図４はコンテンツ制作者が映像コンテンツをアップロードする時の処理手順を示すフローチャート、図５はコンテンツ制作者がログインする時の表示画面を示す図、図６はコンテンツ制作者が映像コンテンツをアップロードする時の表示画面を示す図である。
【００３０】
前記コンテンツ制作者がコンテンツ制作者側端末２からコンテンツサーバ１０にアクセスすると（Ｓ２０１）、このアクセス信号はコンテンツサーバ１０において受信され（Ｓ２０２）、コンテンツ処理部２２は前記コンテンツ制作者側端末２にログイン画面を送信する（Ｓ２０３）。コンテンツ制作者側端末２では、図５に示すように、前記ログイン画面が受信、表示され（Ｓ２０４）、このログイン画面に従って、前記コンテンツ制作者が、ＩＤ及びパスワード（ＰＡＳＳ）の認証データを入力すると（Ｓ２０５）、これらの認証データはコンテンツサーバ１０において受信される（Ｓ２０６）。
【００３１】
次に、ステップ２０７において、前記認証データに基づき、認証部２３が前記コンテンツ制作者の認証を行い、ＩＤやパスワードの入力に誤りがある場合には、コンテンツ制作者側端末２にエラーメッセージを送信し（Ｓ２０８）、該エラーメッセージは、コンテンツ制作者側端末２において受信される（Ｓ２０９）。そして、この一連の処理は、前記コンテンツ制作者が正しい認証データを入力し直し、該正しい認証データがコンテンツサーバ１０に送信されるまで繰り返し行われる。なお、コンテンツ制作者が認証データを忘れた場合には、図５の右側に示すように、登録されているe-mailアドレスを送信することにより、コンテンツサーバ１０に問い合わせることができる。
【００３２】
一方、前記ステップ２０７において、前記認証データに基づき、認証部２３が前記コンテンツ制作者の認証を行うことができた場合には、会員アップロード用画面がコンテンツ制作者側端末２に送信される（Ｓ２１０）。コンテンツ制作者側端末２では、図６に示すように、前記会員アップロード用画面が受信、表示され（Ｓ２１１）、この画面に従って、前記コンテンツ作成者によって、映像、及び、アップロード時のＭＯＶＩＥ制作者のニックネーム、アップロードＭＯＶＩＥの指定、ＭＯＶＩＥのサムネール画像の指定、課金又は非課金の選択、課金額の設定、ＭＯＶＩＥのカテゴリーの選択、ＭＯＶＩＥのＰＲコメントなど、前記映像に関連付けたデータの入力が行われると（Ｓ２１２）、コテンツサーバ１０において、コンテンツ処理部２２がその入力内容のチェックを行う（Ｓ２１３）。
【００３３】
その結果、コンテンツ処理部２２が、前記入力内容に不備があると判断した場合には、再度、前記コンテンツ制作者に入力をし直させ、一方、前記入力内容に不備がないと判断した場合には、その映像及び該映像に関連付けたデータをコンテンツファイル２４にアップロードする（Ｓ２１５）。その後、コンテンツ処理部２２は、映像及び該映像に関連付けたデータの保存完了のメッセージを送信し（Ｓ２１６）、コンテンツ制作者側端末２においてそのメッセージが受信、表示される（Ｓ２１７）。なお、図６に示すように、前記コンテンツ制作者は、上記した映像及び該映像に関連付けたデータを登録する時にパスワードを変更することもできる。
【００３４】
次に、図７、図８及び図１０を参照しつつ、視聴者が基本データを登録する時の作用について説明する。ここで、図７は視聴者が登録する時の処理手順を示すフローチャート、図８は視聴者が登録する時の表示画面を示す図、図１０は本システムを使用するポータルサイトの表示画面を示す図である。
【００３５】
新規視聴者が視聴者側端末３から本システムを使用するポータルサイト（図１０参照）にアクセスし、新規登録を選択すると（Ｓ３０１）、この新規登録選択信号は視聴者データベースサーバ８において受信され（Ｓ３０２）、視聴者データ処理部１８は視聴者側端末３に登録フォームを送信する（Ｓ３０３）。視聴者側端末３では、図８に示すように、登録フォームが受信、表示され（Ｓ３０４）、この登録フォームに従って、前記視聴者が、名前、e-mailアドレス、入会ＩＤ，ログインパスワード（ＰＡＳＳ）、視聴時の料金支払い方法等の基本データを入力すると（Ｓ３０５）、これらの基本データは視聴者データベースサーバ８において受信される（Ｓ３０６）。
【００３６】
次に、ステップ３０７において、視聴者データ処理部１８が、前記登録フォームへの入力内容を形式面からチェックし、不備がある場合には、修正部分を明示して視聴者側端末３に通知し（Ｓ３０８）、この通知は視聴者側端末３において受信される（Ｓ３０９）。そして、この通知に従って、前記視聴者は、修正部分を修正し、再度、登録フォームを視聴者データベースサーバ８に送信し、この一連の処理は、形式面での不備が解消されるまで繰り返し行われる。
【００３７】
一方、前記ステップ３０７において、視聴者データ処理部１８が、前記登録フォームの入力内容に形式上、不備がないと判断した場合には、次のステップ３１０において、登録内容の二重登録やクレジットカードに不備がないかどうかについて登録内容のチェックが行われ、不備がなかった場合には、その登録内容を視聴者データファイル２１に保存すると共に（Ｓ３１１）、視聴者側端末３に入会完了メッセージを送信し、表示させる（Ｓ３１２）。
【００３８】
その後、視聴者データベースサーバ８では、認証データ処理部１９がＩＤ及びパスワードを前記視聴者に通知するためのメールを発行し（Ｓ３１３）、このメールは、図８の右下に示すように、視聴者側端末３において受信される（Ｓ３１４）。なお、上記ステップ３１０において、視聴者データ処理部１８が登録内容に不備を発見した場合には、登録作業は中止される（Ｓ３１５）。
【００３９】
次に、図９〜図１１を参照しつつ、視聴者が映像コンテンツを視聴する時の作用について説明する。ここで、図９は視聴者が映像コンテンツを視聴する時の処理手順を示すフローチャート、図１１は視聴者がログインする時の表示画面を示す図である。
【００４０】
前記視聴者が視聴者側端末３からコンテンツサーバ１０にアクセスすると（Ｓ４０１）、コンテンツ処理部２２はコンテンツファイル２４内を検索し（Ｓ４０２）、図１０に示すように、視聴者側端末３に映像コンテンツの選択画面を表示させる（Ｓ４０３）。そして、この映像コンテンツの選択画面に従って、前記視聴者が、視聴を希望する映像を選択すると（Ｓ４０４）、該選択信号はコンテンツサーバ１０において受信され（Ｓ４０５）、コンテンツ処理部２２は、図１０の右側に示すような映像コンテンツの詳細説明画面を送信する（Ｓ４０６）。
【００４１】
この映像コンテンツの詳細説明画面は視聴者側端末３において受信、表示され（Ｓ４０７）、前記視聴者が、この画面のサムネール画像や作品紹介コメントなどを参照し、「視聴する」を選択すると、この視聴選択信号は視聴者データベースサーバ８において受信される（Ｓ４０９）。そして、視聴者データ処理部１８は、ログイン画面を送信し（Ｓ４１０）、このログイン画面は、視聴者側端末３において、図１１に示すように、受信、表示され（Ｓ４１１）、この画面上で、前記視聴者がＩＤ及びパスワード（ＰＡＳＳ）を入力すると（Ｓ４１２）、この認証データは視聴者データベースサーバ８において受信され（Ｓ４１３）、認証処理部２０がこの認証データに基づき、認証を行う（Ｓ４１４）。
【００４２】
この結果、認証処理部２０は、前記認証データに誤りがあると判断した場合には、エラー画面を送信し、視聴者側端末３において、そのエラー画面が表示される（Ｓ４１５）。なお、前記視聴者が認証データを忘れた場合には、図１１の右側に示すように、登録されているe-mailアドレスを送信することにより、認証データを視聴者データベースサーバ８に問い合わせることができる。
【００４３】
一方、前記ステップ４１４において、認証処理部２０が、前記認証データに基づき、前記視聴者の認証を行うことができた場合には、視聴者側端末３に視聴ボタンが送信され（S４１６）、視聴者側端末３において、図１１の下部に示されているように、表示される（Ｓ４１７）。そして、視聴者側端末３において、前記視聴者が「視聴ボタン」を選択すると（Ｓ４１８）、この視聴選択信号はコンテンツサーバ１０において受信され（Ｓ４１９）、コンテンツ処理部２２は、この視聴選択信号に従って、映像コンテンツを送信し（Ｓ４２０）、前記視聴者は、視聴者側端末３において、その映像コンテンツをストリーミングにより視聴することができる（Ｓ４２１）。
【００４４】
また、前記ステップ４１９において、コンテンツサーバ１０が視聴者側端末３から前記視聴選択信号を受信すると、コンテンツ処理部２２は課金管理サーバ１２にその情報を送信し、課金管理サーバ１２では、課金処理部２５が、その情報を課金データファイル２６に保存する（Ｓ４２２）。
【００４５】
このように、上記した実施の形態に係る映像コンテンツ配信システム及びその方法によれば、映像コンテンツ配信側が、配信会社などの買い付けに頼ることなく、ジャンル分けされた映像コンテンツのポータルサイトを運営することにより、コンテンツ制作者に対して映像コテンツの配信場所を確保し、その制作者が視聴料金を自由に設定することができ、また、視聴者に対しては各自の嗜好に合った映像コンテンツを自由且つ容易に選択させる機会を付与することができる。
【００４６】
なお、上記実施の形態においては、コンテンツ配信側サーバ群１は、複数台のサーバ６〜１３がイントラネット１４を介して接続されて構成されているが、サーバの設置台数、及び、各サーバに対する各種機能の振り分け方法は、上記した実施の形態の場合に限定されるものではなく、例えば、サーバを１台のみ設置し、そのサーバに上記各種機能を全部備えさせる等、各種変更が可能である。また、ミラーリング用のサーバ７，９，１１，１３は必ずしも設置しなくてもよい。
【００４７】
また、上記実施の形態では、認証データとしてＩＤ及びパスワードを使用しているが、指紋等、他の認証データにより認証を行うように構成することもできる。
【００４８】
さらにまた、上記実施の形態では、情報通信ネットワークとしてインターネットを利用した場合について説明したが、これは単なる例示に過ぎず、本発明は、専用通信回線等、他の情報通信ネットワークを利用した環境下においても実施可能であることは言う迄もない。
【図面の簡単な説明】
【００４９】
【図１】本発明の実施の形態に係る映像コンテンツ配信システムの全体構成を示す概略図である。
【図２】本発明の実施の形態に係る映像コンテンツ配信システムにおいてコンテンツ制作者が登録する時の処理手順を示すフローチャートである。
【図３】本発明の実施の形態に係る映像コンテンツ配信システムにおいてコンテンツ制作者が登録する時の表示画面を示す図である。
【図４】本発明の実施の形態に係る映像コンテンツ配信システムにおいてコンテンツ制作者が映像コンテンツをアップロードする時の処理手順を示すフローチャートである。
【図５】本発明の実施の形態に係る映像コンテンツ配信システムにおいてコンテンツ制作者がログインする時の表示画面を示す図である。
【図６】本発明の実施の形態に係る映像コンテンツ配信システムにおいてコンテンツ制作者が映像コンテンツをアップロードする時の表示画面を示す図である。
【図７】本発明の実施の形態に係る映像コンテンツ配信システムにおいて視聴者が登録する時の処理手順を示すフローチャートである。
【図８】本発明の実施の形態に係る映像コンテンツ配信システムにおいて視聴者が登録する時の表示画面を示す図である。
【図９】本発明の実施の形態に係る映像コンテンツ配信システムにおいて視聴者が映像コンテンツを視聴する時の処理手順を示すフローチャートである。
【図１０】本発明の実施の形態に係る映像コンテンツ配信システムを使用するポータルサイトの表示画面を示す図である。
【図１１】本発明の実施の形態に係る映像コンテンツ配信システムにおいて視聴者がログインする時の表示画面を示す図である。
【符号の説明】
【００５０】
１          コンテンツ配信者側サーバ群
２          コンテンツ制作者側端末
３          視聴者側端末
４          インターネット
６          コンテンツ制作者データベースサーバ
８          視聴者データベースサーバ
１０        コンテンツサーバ
１２        課金管理サーバ
１７        コンテンツ制作者データファイル
２１        視聴者データファイル
２２        コンテンツ処理部
２４        コンテンツファイル
２５        課金処理部
【図１】
2006229633.tif 000003
【図２】
2006229633.tif 000004
【図３】
2006229633.tif 000005
【図４】
2006229633.tif 000006
【図５】
2006229633.tif 000007
【図６】
2006229633.tif 000008
【図７】
2006229633.tif 000009
【図８】
2006229633.tif 000010
【図９】
2006229633.tif 000011
【図１０】
2006229633.tif 000012
【図１１】
2006229633.tif 000013